(57)【要約】【課題】  通帳類発行モジュールにおいて、通帳中央部の背山高さのバラツキが大きく、通帳発行失敗の恐れのある通帳を確実に１冊づつ通帳発行可能とし、信頼性の高い通帳類発行モジュールを提供すること。【解決手段】  繰出しゲートを軟質化し、通帳繰出し動作中に通帳中央部背山が繰り出しゲートを通過する際、通帳中央部背山の厚みに合わせて繰り出しゲートを弾性変形させることで、ゲートギャップを広げ、通帳背山をゲートに引っ掛けることなく確実に1冊づつ通帳を繰出す。【選択図】  図３
2012059159.tif 000002
【特許請求の範囲】
【請求項１】
開いた状態の通帳類を複数格納する格納部を有し、前記通帳類を発行する通帳類発行モジュールであって、
前記通帳類を前記格納部から繰り出す繰り出しローラと、
前記格納部から前記通帳類を１冊づつ繰り出すために所定の間隙が設けられたゲート部とを有し、
前記ゲート部は、柔軟な素材である軟質ゲートと、前記軟質ゲートを前記格納部の壁に固定する固定板を備え、前記格納部の底面と前記軟質ゲートとの距離が1冊の通帳類の高さに設定され、
前記通帳類を前記格納部から繰り出す際に前記通帳類の高さが前記設定された距離よりも大きい場合、前記軟質ゲートは前記通帳類に押圧され変形し、前記通帳類を発行させることを特徴とする通帳類発行モジュール。
【請求項２】
請求項１記載の通帳類発行モジュールであって、
前記軟質ゲートは、硬度が異なる部材を有した多層構造となることを特徴とする通帳類発行モジュール。
【請求項３】
請求項２記載の通帳類発行モジュールであって、
前記軟質ゲートは、堅硬な部材であるゲートシートと柔軟な部材である軟質ゲートプレートとを備えることを特徴とする通帳類発行モジュール。
【請求項４】
請求項３に記載の通著類発行モジュールであって、
前記軟質ゲートは、通帳類側が前記ゲートシートであり、前記固定板側が前記軟質ゲートプレートであることを特徴とする通帳発行モジュール。
【請求項５】
請求項１〜請求項４に記載の通帳類発行モジュールであって、
前記軟質ゲートは、前記通帳類側が前記固定板側よりも突き出している突出部を有することを特徴とする通帳類発行モジュール。
【請求項６】
前記請求項５に記載の通帳類発行モジュールであって、
前記通帳類側の軟質ゲートは、前記突出部の厚みが、前記軟質ゲート全体の厚みよりも薄いことを特徴とする通帳類発行モジュール。
【請求項７】
請求項１〜６記載の通帳類発行モジュールを備えた、通帳取扱装置。
【発明の詳細な説明】
【技術分野】
【０００１】
本発明は、通帳類を発行する通帳類取扱装置に搭載される通帳類発行モジュールに関する。
【背景技術】
【０００２】
従来は、「通帳類または証書類を一つの保管部で管理できるようにしたこと、および、通帳、証書第1ゲートと分離ローラとのすき間を調整する調整レバーを設けたことにより、通帳類なら通帳一通、証書類なら証書一枚のみを確実に繰出し、搬送するという目的を構成している（特開昭63-212635）」と記載されているような通帳類発行モジュールがあった。
【先行技術文献】
【特許文献】
【０００３】
【特許文献１】特開昭63-212635
【発明の概要】
【発明が解決しようとする課題】
【０００４】
金融機関で用いられる通帳類などの冊子の中央部の背山高さは、製作時にバラツキがある。特に海外で使用される通帳は背山の高さにバラツキがあることが多く、その高さも国内に比べて高くなっている。
【０００５】
特許文献１などの従来技術では、各々の通帳類の厚みに合わせて繰出しゲートを調節し、繰出しゲートの幅を固定していた。背山の高さにバラツキがある通帳を開いた状態で格納し、通帳繰越などによって通帳を繰出す場合に、通帳中央部の背山が繰出しゲートを通過するときにバラツキによって予め通帳厚に調整されたゲートでは引っ掛かってしまい、通帳の繰出しが失敗する恐れがあった。
【０００６】
本発明では、こういった通帳の背山の高さのバラツキが大きい通帳に対しても通帳の発行が行えるような、信頼性の高い通帳発行を可能とすることを目的とする。
【課題を解決するための手段】
【０００７】
前述の目的を達成するために、本発明の通帳類発行モジュールは、通帳類の繰出しゲートを軟質化させ、通帳類繰出し動作中に通帳類中央部の背山が繰り出しゲートを通過する際、通帳類中央部の背山により繰り出しゲートを弾性変形させながら、ゲートギャップを一時的に広げ、通帳類を通過可能な構成とする。
【発明の効果】
【０００８】
従来の技術では開いた通帳類を格納し、通帳類を発行する際に繰出し失敗する可能性があった通帳類中央部の背山が大きい通帳類でも発行が可能となり、信頼性の高い通帳類発行モジュールを実現することができる。
【図面の簡単な説明】
【０００９】
【図１】通帳類取扱装置の側面図。
【図２】通帳類取扱装置の制御機構を示すブロック図。
【図３】通帳類発行モジュールの側面図。
【図４】通帳の側面図。
【図５】本発明の主要部である通帳類発行モジュールゲート部の側面図。
【図６】新規発行通帳繰り出しゲート通過時の通帳類発行モジュールゲート部の側面図。
【図７】本発明の第２の実施例を示す通帳類発行モジュールゲート部の側面図。
【図８】通帳類取扱装置の制御を示すフローチャート。
【発明を実施するための形態】
【実施例１】
【００１０】
以下本発明の第１実施例を、図面を用いて説明する。なお、これらの図面では格納・繰出し方向と同一方向に頁を開く通帳（縦開き通帳）で説明しているが、格納・繰出し方向と垂直方向に頁を開く（横開き通帳）においても本発明の構成は適用可能である。
【００１１】
図１は本発明の通帳類発行モジュールを含む通帳類取扱装置の構成例を示す側面図である。
通帳１はエンドユーザによって挿入口２から挿入され、主搬送路３へと搬送される。通帳１はその後、通帳１の磁気ストライプ情報の磁気読取りまたは磁気書き込み磁気データ読書き部４、通帳１の所定のページ、行に印字を行う印字部５、通帳のページ情報や印字済み行を光学的に読み取りを行う光学読取り部６、通帳を所定のページにページ捲りする頁替え部７に搬送され、磁気書込み等が実行される。
【００１２】
通帳１に繰越が発生し、新しい通帳を発行する場合は通帳類発行モジュール８から新規通帳が繰り出される。新規通帳が正しく繰り出されたか否かは繰出し確認センサ１９によって確認される。
【００１３】
エンドユーザが通帳１を取り忘れた場合は、通帳１は再度装置に取り込まれる。取り込まれた通帳１は、主搬送路３を搬送され、ゲート手段１０によって主搬送路３から通帳退避路１１に搬送される。その後、通帳退避路１１に接続する回収箱９にて取り忘れ通帳として回収される。
【００１４】
また、通帳退避路１１は通帳繰越など新規通帳を発行する場合、通帳１を退避し、新規通帳をエンドユーザに排出し新規通帳を受け取らせた後に通帳１をエンドユーザーに排出する動作を行なう制御でも使用する。
【００１５】
なお、主搬送路３または通帳退避路にて通帳１を挟持し搬送する搬送ローラ１２〜１８は、図示しない搬送モータに接続した図示しないクラッチ、ベルト、ギヤ等の駆動伝達手段を介して動力が伝達され、通帳１を搬送する。
【００１６】
図２は本実施例における通帳類発行モジュール８の制御機構を図示したものである。
制御部１０１は搬送部１０２、磁気データ読み書き部１０３、印字機構部１０４、光学読取機構部１０５、頁替え機構部１０６、通帳発行機構部１０７と信号線１０８にて相互に接続され、装置全体の制御を行うほか、上位装置１０９と通信にて所定の情報の送信、受信を行い、互いに情報のやりとりを行う。
【００１７】
次に通帳類発行モジュール８について説明をする。図３は通帳類発行モジュール８の構成を示す側面図である。
【００１８】
新規発行通帳２６は表紙を開いた状態で通帳ホッパ２８に格納されている。このとき新規通帳２６は、押圧板２５によって反りやたわみが起こらないように押圧されて通帳ホッパ２８に格納されている。このとき、押圧板２５はバネ２４によって適度な力で押圧されている。なお、押圧板２５はバネ２４では無く、別の手段（重り等）によって押圧されてもよい。
【００１９】
新規発行通帳２６を発行する場合、新規発行通帳２６はピックアップローラ２１によってゲート部２３へと搬送される。ゲート部２３は通帳を1冊ずつ繰り出せる厚みに調整されたゲートギャップを備えており、ピックアップローラ２１により搬送された新規発行通帳２６を1冊ずつ分離する。ゲート部２３は軟質ゲート２９と軟質ゲート固定板３０から構成されるが、詳細については後述する。
【００２０】
1冊に分離された新規発行通帳２６は、フィードローラ２０、ゲートローラ２２がある通帳排出口までさらに搬送され、その後、搬送ローラ１７等によって主搬送路３に搬送される。フィードローラ２０とゲートローラ２２は互いに対向する位置にあり、主搬送路３にある搬送ローラ１７まで新規発行通帳２６を搬送する搬送ローラである。
【００２１】
また通帳類発行モジュール８は、フィードローラ２０、ゲートローラ２２まで新規発行通帳２６が繰り出されたことを確認するためのセンサ１９と、通帳ホッパ２８内の通帳の有無を確認するエンプティセンサ２７を備える。
【００２２】
なお図３は格納された通帳２６を下側から繰出す構成で示しているが、上下反転した上側から通帳を繰出す構成においても本発明の構成は適用可能である。また、繰出し方向も水平方向だけではなく、上下方向または斜め方向などに通帳を発行する構成においても同様である。
【００２３】
次に通帳ホッパ２８に格納された新規発行通帳２６の状態（表紙を開いた状態）について図４を用いて説明する。新規発行通帳２６は印字される部分である中紙３１、表紙３２、通帳背山部３３からなる。
【００２４】
通帳背山部３３の高さｈは通帳の種類または通帳の製造メーカによってばらつきがあるが、通常用いられる通帳の通帳背山部３３の高さｈは、０．４ｍｍ以下である。特に海外の通帳は通帳背山部３３の高さｈのばらつきが、１〜２ｍｍと大きくなっている。
【００２５】
ゲート部２３は繰出しゲートギャップを通帳の厚みｔに合わせて調整するが、繰り出す通帳の背山部が通常用いられる通帳の背山部よりも出ている場合、通帳背山部３３が繰出しゲートを通過する際、通帳背山部３３がゲートに引っ掛かり、繰り出しが失敗となる。
【００２６】
次に、ゲート部２３の詳細について説明する。図５は、本発明の主要部である通帳類発行モジュールのゲート部の構成を示す側面図である。
【００２７】
ゲート部２３は前述したように、軟質ゲート２９と軟質ゲート固定板３０とから構成されている。軟質ゲート２９は柔軟な部材からなり、通帳背山部３３が大きい新規発行通帳２６がゲート部２３を通過する際に、一時的に弾性変形をしゲートギャップｔ１の幅を広げ、背山がゲート部２３に引っ掛からないように新規発行通帳２６を一冊ずつ繰り出す。
【００２８】
軟質ゲート２９は、先端の厚みＴ２が全体の厚みＴ１とに比べ薄くなっており、軟質ゲート２９の先端は段差Ａ１だけ突き出ている。また、軟質ゲート２９の先端から通帳ホッパ２８の底部までの距離は、新規発行通帳２６の厚みｔとなるように調節する。
【００２９】
段差Ａ１だけ突き出す構成にすることで、ゲートギャップｔ１よりも通帳背山部３３の高さｈが大きい新規発行通帳２６を繰り出す際に、軟質ゲート２９の先端（段差Ａ１だけ突き出した部分）が最初に弾性変形し、その後軟質ゲート２９の全体を弾性変形させゲートギャップｔ１を広げることが可能となる。
【００３０】
また、新規発行通帳２６が２冊繰り出されようとする場合は、２冊目が軟質ゲート２９が弾性変形する部位よりも上部に引っ掛かる事により繰り出されず、１冊目のみ繰り出す事が可能となっている。
【００３１】
本実施例では、全体の厚みＴ１を約１ｍｍ、先端の厚みＴ２を約０．２ｍｍ、段差Ａ１を約１．５ｍｍとしたが、もちろんこの値に限定するものではなく、別の値であってもよい。また、使用する軟質ゲート２９の硬度は２６度から３０度のものを本実施例では考慮しているが、硬度は全体の厚みＴ１や先端の厚みＴ２、段差Ａ１の値によっては別の硬度のものを使用してもよい。
【００３２】
図６は、通帳背山部３３の高さｈが大きい新規発行通帳２６がゲート部２３を通過する際のゲート部２３の状態を示す側面図である。
【００３３】
新規発行通帳２６の通帳背山部３３が軟質ゲート２９を通過する際、前述したように軟質ゲート２９の先端部が通帳繰り出し方向に引っ張られ（引っ張り力：約１．３Ｎ）弾性変形する為、ゲートギャップが一時的に必要な厚みだけ広がり、失敗することなく新規発行通帳２６を繰り出しことができる。なお、本実施例では、軟質ゲート２９の弾性変形によるゲートギャップｔ２の変動量は、０〜２ｍｍである。
【００３４】
次に、上記の構成を持つ通帳類発行モジュール８における動作を以下に説明する。
取引を行うエンドユーザによって通帳１が挿入口２から挿入されると、図示しない搬送モータにより図示しないクラッチ、ベルト、ギヤ等の駆動伝達手段を介して搬送ローラ１２〜１７を回転駆動し、挿入された通帳１を吸入する。
【００３５】
通帳１は主搬送路３を順次搬送され、磁気データ読書き部４により通帳磁気ストライプ情報の磁気記録の読取り・書込みが行われ、光学読み取り部６では通帳バーコードのページ情報や印字済み行検知等の光学的読み取りが行われ、印字部５では上位装置１０９から受けた情報のデータを印字する。
【００３６】
上記処理において光学読み取り部６で読取った通帳ページ情報が上位装置１０９から送られてきたページ情報と異なる場合、また上位装置１０９から送られてきた所定の印字情報が印字するページの未印字行数以上有り、次ページに印字する必要がある場合は頁替え部７によりページ捲り処理を行い、処理するページを開き継続して残印字情報を所定のページに印字処理を行う。
【００３７】
通常は印字処理後、磁気データ読書き部４にて最新情報を通帳磁気ストライプに書き込みが行われ、図示しない搬送モータにより搬送ローラ１２〜１７を逆回転駆動させ、主搬送路３を排出方向に搬送され、挿入口２から通帳１がエンドユーザに返却される。
【００３８】
しかし、所定の印字処理がエンドユーザにて挿入された通帳１で終了しない場合、すなわち通帳１の全ページに印字し、さらに未印字残情報がある場合は新規発行通帳２６の発行処理が行われる。
【００３９】
このとき、上位装置１０９にエンドユーザの顧客情報、および通帳の全印字完了の情報を送信する。送信を受けた図示しない上位装置１０９は通帳類発行モジュール８が搭載された自動取引装置に新規通帳２６の発行指示を送信する。
【００４０】
通帳１は磁気データ読書き部４により、全ページ印字完了情報、新規通帳発行完了情報等を通帳磁気ストライプに書き込む。上位装置１０９からの新規通帳発行指示を受信後、図示しない搬送モータにより搬送ローラ１２〜１７を逆回転駆動させ、主搬送路３を排出方向に搬送され、挿入口２から通帳１がエンドユーザに返却する。
【００４１】
このときエンドユーザに通帳繰越し、新規通帳発行中であることを音声またはディスプレイ画面等にて知らせ、新規発行通帳２６の取り忘れを防止するような制御を行なってもよい。
【００４２】
上記処理動作後、通帳類発行モジュール８は図示しない駆動モータによりピックアップローラ２１が回転し、通帳厚ｔ１に調整されたゲートギャップを新規発行通帳２６が1冊搬送され、ゲートローラ２２およびフィードローラ２０により通帳先端を噛みこみ、主搬送路３側へ繰出す。
【００４３】
この時、軟質ゲート２９は、通過する新規発行通帳２６の厚みに合わせて先端を弾性変形し、ゲートギャップ：ｔ1を一時的に必要な厚みだけ広げ、新規発行通帳２６を引っ掛けることなく1冊のみ繰出す。
【００４４】
通帳類発行モジュール８にて確実に1冊づつ繰出された新規発行通帳２６は図示しない搬送モータの逆回転駆動により主搬送路３まで搬送される。印字部５にてエンドユーザの顧客情報と旧通帳に印字できなかった未印字情報を印字処理し、磁気データ読書き部４により印字情報等の最新情報を通帳磁気ストライプに書き込む。
【００４５】
その後、さらに図示しない搬送モータの逆回転駆動により主搬送路３を排出方向に搬送し、挿入口２から新規発行通帳２６をエンドユーザに返却する。
【００４６】
上記通帳発行動作の処理手順を図８のフローチャートでさらに以下にて詳細説明する。
【００４７】
挿入口よりエンドユーザが通帳を挿入すると（Ｆ１）、所定の位置まで搬送路上を搬送され（Ｆ２）、通帳磁気ストライプの磁気データ読取が行われる（Ｆ３）。
【００４８】
さらに光学読み取り部の読み取り処理によりページ情報と印字済み行検知される（Ｆ４）。この検知結果により、通帳磁気ストライプに書き込まれていた前回取引にて印字された印字最終ページ情報と光学読み取り部の読み取り処理情報が相違する場合は必要に応じてページ捲り処理が行われる。（Ｆ５、Ｆ６）
そして所定のページに上位装置から受信した印字情報を印字を行い（Ｆ７）、印字すべき情報が全て印字されると（Ｆ８）、印字情報等の新たな情報が通帳磁気ストライプに書込まれ（Ｆ９）、通帳は排出されて（Ｆ１０）処理が終了する（Ｆ１１）。
【００４９】
また、印字が完了する前に最終行まで印字された場合（Ｆ１２）、印字されていないページが残っていればページ捲りを行い（Ｆ１３、Ｆ１４）、印字すべき未印字情報を印字する。
【００５０】
印字が完了する前に全てのページが印字されてしまった場合、その通帳を排出し（Ｆ１５）、Ｆ３にて取得した通帳ストライプの磁気データを基に新たに発行すべき新規通帳が格納されたホッパから新規通帳を繰出し（Ｆ１６）、印字部へ搬送して（Ｆ１７）、残りの印字すべき未印字情報を新規通帳へ印字する（Ｆ１８）。
【００５１】
このとき、必要に応じてページ捲り等の処理が行われる。
印字すべき情報が全て印字されると、印字情報等の最新の情報が新規通帳の磁気ストライプに書込まれ（Ｆ１９）、新規通帳は排出されて（Ｆ２０）、全ての処理が完了する（Ｆ２１）。
以上が実施例１における通帳類発行モジュール８の動作である。
【００５２】
本実施例の構成を取ることにより、ゲート部の厚みをレバーなどを使用し調整せずとも、背山のバラツキがある通帳を繰り出す事が可能となる。
【実施例２】
【００５３】
次に、実施例２について図７を用いて説明する。図７は、通帳類発行モジュール８のゲート部２３の構成を示す側面図である。
【００５４】
ゲート部２３は、ゲートシート３４、軟質ゲートプレート３５および軟質ゲート固定板３０より構成されている。ゲートシート３４、軟質ゲートプレート３５を張り合わせることで構成されている。
【００５５】
ゲートシート３４は、軟質ゲートプレート３５に新規発行通帳２６が直接触れることを防ぎ、耐摩耗性を高めるために設置している。したがってゲートシートには、強度がある部材を使用すると共に、弾性変形をすることが可能な柔軟性を持ち合わせた部材（例えばプラスティック樹脂等）を使用する。
【００５６】
実施例１の軟質ゲート２９と同様に、厚みが薄い（厚みＴ３）のゲートシート３４が、厚みが厚い（厚みＴ４）の軟質ゲートプレート３５よりも段差Ａ２だけ突き出すように貼り付けられている。
【００５７】
このように構成することで、実施例１と同様、繰り出された新規発行通帳２６によってゲートシート３４が段差Ａ２突き出した部分が押圧され弾性変形し、さらにゲートシート３４に加わった力が軟質ゲートプレートに伝わり、軟質ゲートプレートも変形し、ゲートギャップを広げることができる。
【００５８】
本実施例では、ゲートシート３４の厚みＴ３は約０．２ｍｍ、軟質ゲートプレート３５の厚みＴ４は約１ｍｍ、段差Ａ２は約１．５ｍｍで貼り合わせてあるがこの数値は一例であり、他の数値であってもよい。また、軟質ゲートプレートの硬度は実施例１と同様である。
【００５９】
以上の構成をとることで、前述したようにゲートシート３４、軟質ゲートプレート３５を張り合わせたものは、背山が大きい通帳のゲート通過時に、軟質ゲートプレートがゲートギャップを一時的に弾性変形（最大2ｍｍまで広げることが可能）させ、新規発行通帳２６がゲート部２３に引っ掛かることがないように発行させることが可能である。
【００６０】
また、実施例１とは違い軟質ゲートプレート３５に直接新規発行通帳２６が触れることがないため、軟質な部材を検討する際に耐摩耗性について考慮する必要はなく、既存の安価な部材を使用することで安価に作成することが可能である。
本願発明は、通帳を対象として説明を行なったが、通帳に限らず冊子状のものを発行する発行モジュールであれば、本発明を適用する事が可能である。
【符号の説明】
【００６１】
１  通帳
２  挿入口
３  主搬送路
４  磁気データ読書き部
５  印字部
６  光学読取り部
７  頁替え部
８  通帳類発行モジュール
９  回収箱
１０  ゲート手段
１１  通帳退避路
１２〜１８  搬送ローラ
１９  繰出し確認用センサ
２０  フィードローラ
２１  ピックアップローラ
２２  ゲートローラ
２３  ゲート部
２４  バネ
２５  押圧板
２６  新規発行通帳
２７  エンプティセンサ
２８  通帳ホッパ
２９  軟質ゲート
３０  軟質ゲート固定板
３１  通帳中紙
３２  通帳表紙
３３  通帳背山部
３４  ゲートシート
３５  軟質ゲートプレート
【図１】
2012059159.tif 000003
【図２】
2012059159.tif 000004
【図３】
2012059159.tif 000005
【図４】
2012059159.tif 000006
【図５】
2012059159.tif 000007
【図６】
2012059159.tif 000008
【図７】
2012059159.tif 000009
【図８】
2012059159.tif 000010